【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】
受動型光ネットワークで支局の１つが前記ネットワークへ加入するのを調整する方法であって、前記受動型光ネットワークは前記受動型光ネットワーク接続を介し複数の支局と接続されたヘッドエンドを有し、前記ヘッドエンドは前記支局からの上流への通信を整理し、前記方法は、
−前記ヘッドエンドが前記複数の支局のそれぞれへ、如何なる支局も加入メッセージを前記ヘッドエンドへ送信して良いタイムスロットの開始を示すメッセージを送信する段階、及び
−応答として、加入する支局が、前記加入する支局のネットワークアドレスを含む加入メッセージを前記ヘッドエンドへ送信する段階、を有し、それにより前記ヘッドエンドに将来のメッセージを前記加入する支局へ直接向けさせ、前記加入する支局からの上流の通信の整理を実現する、方法。
【請求項２】
前記タイムスロットの開始を示すメッセージは、前記ヘッドエンドにより前記複数の支局のそれぞれを含むマルチキャストグループアドレスへ送信される、請求項１記載の方法。
【請求項３】
前記加入する支局は、前記加入メッセージを前記ヘッドエンドへ送信するのを、前記タイムスロットの開始後にランダムな期間に亘り延期する、請求項１記載の方法。
【請求項４】
前記ヘッドエンドが、前記加入メッセージの受信に応答して、前記加入する支局へ承認メッセージを送信する段階、を更に有する請求項１記載の方法。
【請求項５】
前記加入する支局が、前記ヘッドエンドから承認メッセージを受信していないことに応答して、前記ヘッドエンドにより示された次のタイムスロットで、更なる加入メッセージを前記ヘッドエンドへ送信する段階、を更に有する請求項１記載の方法。
【請求項６】
前記加入する支局は、前記更なる加入メッセージを送信する前に、ランダムな整数個のタイムスロットに亘り待機する、請求項５記載の方法。
【請求項７】
前記複数の支局のそれぞれは、信号を前記ヘッドエンドへ送信するレーザーを有し、前記複数の支局のそれぞれが加入するまで、加入する支局は前記タイムスロット中を除き前記加入する支局のレーザーをオンに切り替えることを阻止される、請求項１記載の方法。
【請求項８】
前記受動型光ネットワークはイーサネット受動型光ネットワークである、請求項１記載の方法。
【請求項９】
前記加入する支局のネットワークアドレスはＭＡＣアドレスである、請求項１記載の方法。
【請求項１０】
受動型光ネットワークのヘッドエンドであって、前記ヘッドエンドは使用時に受動型光ネットワーク接続を介し複数の支局と接続され、及び如何なる支局も加入メッセージを前記ヘッドエンドへ送信して良いタイムスロットの開始を示すメッセージを前記複数の支局のそれぞれへ送信することにより、及び前記加入する支局からの加入メッセージの受信に応答して加入する支局のネットワークアドレスを登録することにより、使用時に前記支局の１つが前記ネットワークへ加入するのを調整し、それにより前記ヘッドエンドに将来のメッセージを前記加入する支局へ直接向けさせ、前記加入する支局からの上流の通信の調整を実現する、ヘッドエンド。
【請求項１１】
前記タイムスロットの開始を示すメッセージは、前記ヘッドエンドにより、前記複数の支局のそれぞれを含むマルチキャストアドレスグループへ送信される、請求項１０記載のヘッドエンド。
【請求項１２】
使用時に、前記加入メッセージの受信に応答して、前記加入する支局へ承認メッセージを送信するよう構成される、請求項１０記載のヘッドエンド。
【請求項１３】
前記受動型光ネットワークはイーサネット受動型光ネットワークである、請求項１０記載のヘッドエンド。
【請求項１４】
前記加入する支局のネットワークアドレスはＭＡＣアドレスである、請求項１０記載のヘッドエンド。
【請求項１５】
支局であって、使用時に受動型光ネットワーク接続を介し複数の支局を有する受動型光ネットワークのヘッドエンドと接続され、前記支局は、使用時に、前記ヘッドエンドにより前記複数の支局のそれぞれへ送信される、如何なる支局も加入メッセージを前記ヘッドエンドへ送信して良いタイムスロットの開始を示すメッセージに応答して、前記支局のネットワークアドレスを有する加入メッセージを前記ヘッドエンドへ送信するよう構成され、それにより前記ヘッドエンドに将来のメッセージを前記支局へ直接向けさせ、前記支局からの上流の通信の調整を実現する、支局。
【請求項１６】
使用時に、前記加入メッセージを前記ヘッドエンドへ送信するのを、前記タイムスロットの開始後にランダムな期間に亘り延期するよう構成される請求項１５記載の支局。
【請求項１７】
使用時に、前記ヘッドエンドから前記加入メッセージを承認するメッセージを受信していないことに応答して、前記ヘッドエンドにより示された次のタイムスロットで、更なる加入メッセージを前記ヘッドエンドへ送信するよう構成される請求項１５記載の支局。
【請求項１８】
使用時に、前記更なる加入メッセージを送信する前に、ランダムな整数個のタイムスロットに亘り待機するよう構成される請求項１７記載の支局。
【請求項１９】
信号を前記ヘッドエンドへ送信するレーザーを有し、前記支局が加入するまで前記タイムスロット中を除き前記支局のレーザーをオンに切り替えることを阻止される、請求項１５記載の支局。
【請求項２０】
前記受動型光ネットワークはイーサネット受動型光ネットワークである、請求項１５記載の支局。
【請求項２１】
前記ネットワークアドレスはＭＡＣアドレスである、請求項１５記載の支局。
【請求項２２】
機械読み取り可能な形式のソフトウェアであって、請求項１記載の方法を実行するソフトウェア。
【手続補正２】
【補正対象書類名】明細書
【補正対象項目名】００９９
【補正方法】変更
【補正の内容】
【００９９】
好ましい一実施例は、アップストリーム伝送機会のため完全な制御スロットを使用する。新加入者支局は、トラヒックに関連したタイムスロット中に、レーザーの電源をオンすること、並びに、送信することが許可されていない。レーザーの電源をオンにすること、並びに、送信することが許可される唯一の時間は、制御スロット中だけであり、そのときに限り、所与の条件下にある。加入者支局が制御スロットの開始を示すためポーズ（一時停止）フレームを受信するとき、加入者支局は直ちに送信するとは限らない。同時にＰＯＮへ加入しようとする支局間の競合を少なくするため、擬似ランダムアルゴリズムが支局の送信時点を正確に決定するため使用される。システムは同時に加入しようとするＰＯＮ（例えば、ＰＯＮ１６）の全てのメンバーと協働する必要があるので、送信の尤度は、相対的に低くなるように選択されるべきである。ＰＯＮに加入するため、支局は、「加入」制御フレームをヘッドエンドに送信しなければならない。このフレームは、加入する支局の局ＭＡＣアドレスを自動的に収容し、認証のために必要であるならば、他の情報をデータペイロードに格納することができる。加入要求に応答して、ヘッドエンドは、加入者局ＭＡＣアドレスを検証し、承認しなければならない。これは、補助タイムスロットを組み込むため、タイムスロット割付フレームを変更する場合と変更しない場合とがある。支局が所定の期間内に有効な加入者承認フレームを受信できない場合、支局は、擬似ランダム・バックオフ時間を使用して再加入を試みる。ＣＳＭＡ／ＣＤ半二重イーサネット（登録商標）で使用される「べき乗打切り待機法」として知られるようなスキームは、以下の如く提案される。